(57)【要約】      （修正有）【課題】チャネル状態情報基準信号（ＣＳＩ−ＲＳ）のような新たな基準信号送信を導入するための、ユーザ機器との後方互換性を満足する無線通信システムを提供する。【解決手段】無線通信のための方法は、同期信号、ページング信号および／またはブロードキャスト信号を含むサブフレームと衝突しないリソース要素を備える第１のリソース・パターンを選択することと、チャネル状態情報基準信号を送信するために複数のアンテナに第１のリソース・パターンを割り当てることと、を含む。【選択図】図１０
2019146187.tif 000002
【特許請求の範囲】
【請求項１】
無線通信のための方法であって、
リソース要素を備える第１のリソース・パターンを選択することと、ここで、前記第１のリソース・パターンは、第２のリソース・パターンと共存しない、
チャネル状態情報基準信号（ＣＳＩ−ＲＳ）を送信するために、複数のアンテナに前記第１のリソース・パターンを割り当てることと、を備える方法。
【請求項２】
前記第２のリソース・パターンは、１または複数のセルにおいて、ユーザ機器基準信号、共通の基準信号、および制御信号のうちの１または複数に割り当てられた送信リソースを備える、請求項１に記載の方法。
【請求項３】
前記第２のリソース・パターンは、同期信号、ページング信号、およびブロードキャスト信号のうちの１または複数に割り当てられた送信リソースを備える、請求項１に記載の方法。
【請求項４】
前記複数のアンテナからのＣＳＩ−ＲＳ送信を、予め定めた数のサブフレームに制限することを備える、請求項１に記載の方法。
【請求項５】
前記制限することはさらに、少なくとも１つの他のセルとのＣＳＩ−ＲＳ送信が、前記予め定めた数のサブフレームに制限されるように、前記少なくとも１つの他のセルと調整することをさらに備える、請求項４に記載の方法。
【請求項６】
前記第１のリソース・パターンを選択的にホップすることをさらに備える、請求項１に記載の方法。
【請求項７】
前記第１のリソース・パターンを選択的にホップすることは、サブフレーム・タイプおよびセル識別情報のうちの１または複数に応じて前記第１のリソース・パターンを選択的にホップすることを備える、請求項６に記載の方法。
【請求項８】
前記選択的にホップすることをイネーブルまたはディセーブルすることをさらに備える、請求項７に記載の方法。
【請求項９】
前記選択的にホップすることをイネーブルまたはディセーブルすることをユーザ機器にシグナルすることをさらに備える、請求項８に記載の方法。
【請求項１０】
ホッピング・スケジュール・パラメータをユーザ機器へシグナルすることをさらに備える、請求項６に記載の方法。
【請求項１１】
前記第２のリソース・パターンは、別のセルにおいて割り当てられた送信リソース・パターンを備える、請求項１に記載の方法。
【請求項１２】
前記第１のリソース・パターンを割り当てることは、
前記第１のリソース・パターンを、リソース要素からなる複数のグループにグループ化することと、
リソース要素からなるグループを、前記複数のアンテナのうちのアンテナに割り当てることと、を備える請求項１に記載の方法。
【請求項１３】
前記複数のアンテナからのＣＳＩ−ＲＳ送信は、時間領域、周波数領域、および符号領域のうちの１または複数において互いに直交する、請求項１２に記載の方法。
【請求項１４】
前記グループ化することは、２つのリソース要素をグループにグループ化することを備える、請求項１２に記載の方法。
【請求項１５】
前記割り当てることは、一定間隔を取られた予め定めた数のリソース要素を、前記複数のアンテナのうちのおのおののアンテナへ割り当てることをさらに備える、請求項１に記載の方法。
【請求項１６】
前記第２のリソース・パターンは、別のセルにおいて、共通の基準信号に割り当てられた送信リソースを備える、請求項１に記載の方法。
【請求項１７】
前記第１のリソース・パターンを選択することは、セル識別情報、前記複数のアンテナの数、前記ＣＳＩ−ＲＳの送信のためのサブフレーム・インデクスのうちの１または複数に基づく、請求項１に記載の方法。
【請求項１８】
無線通信のための装置であって、
リソース要素を備える第１のリソース・パターンを選択する手段と、ここで、前記第１のリソース・パターンは、第２のリソース・パターンと共存しない、
チャネル状態情報基準信号（ＣＳＩ−ＲＳ）を送信するために、複数のアンテナに前記第１のリソース・パターンを割り当てる手段と、を備える装置。
【請求項１９】
前記複数のアンテナからのＣＳＩ−ＲＳ送信を、予め定めた数のサブフレームに制限する手段をさらに備える、請求項１８に記載の装置。
【請求項２０】
前記第１のリソース・パターンを選択的にホップする手段をさらに備える、請求項１８に記載の装置。
【請求項２１】
無線通信のための装置であって、
リソース要素を備える第１のリソース・パターンを選択し、ここで、前記第１のリソース・パターンは、第２のリソース・パターンと共存しない、
チャネル状態情報基準信号（ＣＳＩ−ＲＳ）を送信するために、複数のアンテナに前記第１のリソース・パターンを割り当てる、ように構成されたプロセッサを備える、装置。
【請求項２２】
前記プロセッサはさらに、一定間隔を取られた予め定めた数のリソース要素を、前記複数のアンテナのうちのおのおののアンテナへ割り当てるように構成された、請求項２１に記載の装置。
【請求項２３】
コンピュータ・プログラム製品であって、
少なくとも１つのコンピュータに対して、リソース要素を備える第１のリソース・パターンを選択させるための命令群と、ここで、前記第１のリソース・パターンは、第２のリソース・パターンと共存しない、
前記少なくとも１つのコンピュータに対して、チャネル状態情報基準信号（ＣＳＩ−ＲＳ）を送信するために、複数のアンテナに第１のリソース・パターンを割り当てさせるための命令群と、を備えるコンピュータ読取可能な媒体を備える、コンピュータ・プログラム製品。
【請求項２４】
前記少なくとも１つのコンピュータに対して割り当てさせるための命令群はさらに、前記少なくとも１つのコンピュータに対して、前記第１のリソース・パターンを、リソース要素からなる複数のグループにグループ化させ、リソース要素からなるグループを、前記複数のアンテナのうちのアンテナに割り当てさせる、ための命令群を備える、請求項２３に記載のコンピュータ・プログラム製品。
【請求項２５】
前記コンピュータ読取可能な媒体はさらに、前記少なくとも１つのコンピュータに対して、前記複数のアンテナからのＣＳＩ−ＲＳ送信を、予め定めた数のサブフレームに制限させるための命令群を備える、請求項２３に記載のコンピュータ・プログラム製品。
【請求項２６】
無線通信のための方法であって、
近隣セルにおける基地局と、基準信号の送信のために割り当てられたリソース・パターンを調整することと、
前記調整に基づいて、前記近隣セル内に割り当てられたリソース・パターンに対応する位置におけるリソース・パターンを制限することと、を備える方法。
【請求項２７】
前記近隣セル内に割り当てられた対応するリソース・パターンに対して前記リソース・パターンを直交させることをさらに備える、請求項２６に記載の方法。
【請求項２８】
前記制限することに関連する情報を、ユーザ機器にシグナルすることをさらに備える、請求項２６に記載の方法。
【請求項２９】
前記調整することは、チャネル状態情報基準信号の送信のために割り当てられたリソース・パターンを調整することを備える、請求項２６に記載の方法。
【請求項３０】
無線通信のための装置であって、
近隣セルの基地局と、基準信号の送信のために割り当てられたリソース・パターンを調整する手段と、
前記調整に基づいて、前記近隣セル内に割り当てられたリソース・パターンに対応する位置におけるリソース・パターンを制限する手段と、を備える装置。
【請求項３１】
無線通信のための方法であって、
第２のリソース・パターンと共存しないリソース要素を備える第１のリソース・パターンを受信することと、
前記第１のリソース・パターンにしたがって、チャネル状態情報基準信号（ＣＳＩ−ＲＳ）を受信することと、
前記ＣＳＩ−ＲＳに基づいてチャネル品質推定を実行することと、を備える方法。
【請求項３２】
前記第２のリソース・パターンにしたがって、ユーザ機器基準信号と共通の基準信号とのうちの１つを受信することをさらに備える、請求項３１に記載の方法。
【請求項３３】
前記チャネル品質推定を基地局へレポートすることをさらに備える、請求項３１に記載の方法。
【請求項３４】
無線通信のための装置であって、
第２のリソース・パターンと共存しないリソース要素を備える第１のリソース・パターンを受信する手段と、
前記第１のリソース・パターンにしたがって、チャネル状態情報基準信号（ＣＳＩ−ＲＳ）を受信する手段と、
前記ＣＳＩ−ＲＳに基づいてチャネル品質推定を実行する手段と、を備える装置。
【請求項３５】
前記第２のリソース・パターンにしたがって、ユーザ機器基準信号と共通の基準信号とのうちの１つを受信する手段をさらに備える、請求項３４に記載の装置。
【請求項３６】
コンピュータ・プログラム製品であって、
少なくとも１つのコンピュータに対して、第２のリソース・パターンと共存しないリソース要素グループを備える第１のリソース・パターンを受信させるための命令群と、
前記少なくとも１つのコンピュータに対して、前記第１のリソース・パターンにしたがって、チャネル状態情報基準信号（ＣＳＩ−ＲＳ）を受信させるための命令群と、
前記少なくとも１つのコンピュータに対して、前記ＣＳＩ−ＲＳに基づいてチャネル品質推定を実行させるための命令群と、を備えるコンピュータ読取可能な媒体を備える、コンピュータ・プログラム製品。
【請求項３７】
無線通信のための装置であって、
第２のリソース・パターンと共存しないリソース要素グループを備える第１のリソース・パターンを受信し、
前記第１のリソース・パターンにしたがって、チャネル品質推定基準信号（ＣＳＩ−ＲＳ）を受信し、
前記チャネル状態情報基準信号に基づいてチャネル品質推定を実行するように構成されたプロセッサを備える、装置。
【請求項３８】
前記プロセッサはさらに、前記第２のリソース・パターンにしたがって、ユーザ機器基準信号と共通の基準信号とのうちの１つを受信するように構成された、請求項３７に記載の装置。
【発明の詳細な説明】
【関連出願に対する相互参照】
【０００１】
本特許出願は、ともに全体が参照によって本明細書に組み込まれている、２００９年１０月８日出願の「無線通信システムにおいて、チャネル空間情報基準信号を用いる方法および装置」（METHOD AND APPARATUS FOR USING A CHANNEL SPATIAL INFORMATION REFERENCE SIGNAL IN A WIRELESS COMMUNICATION SYSTEM）と題された米国仮出願６１／２４９，９０６号と、２００９年１１月２日出願の「無線通信システムにおいて、チャネル空間情報基準信号を用いる方法および装置」（METHOD AND APPARATUS FOR USING A CHANNEL SPATIAL INFORMATION REFERENCE SIGNAL IN A WIRELESS COMMUNICATION SYSTEM）と題された米国仮出願６１／２５７，１８７号とからの優先権の利益を主張する。
【技術分野】
【０００２】
本開示は、一般に通信に関し、さらに詳しくは、無線通信システムにおいて基準信号を送信するための技術に関する。
【背景技術】
【０００３】
無線通信システムは、例えば音声、ビデオ、パケット・データ、メッセージング、ブロードキャスト等のようなさまざまな通信コンテンツを提供するために広く開発された。これら無線システムは、利用可能なシステム・リソースを共有することにより、複数のユーザをサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングル・キャリアＦＤＭＡ（ＳＣ−ＦＤＭＡ）システムを含む。
【０００４】
例えばロング・ターム・イボリューション（ＬＴＥ（登録商標））規格のリリース８およびリリース９のバージョン（Ｒｅｌ−８およびＲｅｌ−９と称される）のような無線通信システムでは、信号送信は、最大４アンテナ送信構成のために定義される。より高いデータ・レートおよびスループット（システム容量）をサポートする需要が高まっているので、より多くの送信アンテナ（例えば、８つ）を持つ無線システムが最近注目を集めている。増加された送信アンテナ数に対応し、さらに、システム・パフォーマンスを向上するために、例えば、チャネル状態（または空間）情報基準信号（ＣＳＩ−ＲＳ）のような追加の基準信号送信が最近提案されている。
【０００５】
しかしながら、このような新たな基準信号を導入することは、利用可能な送信帯域幅と、レガシー（例えば、Ｒｅｌ−８およびＲｅｌ−９）基準信号との共存に関連する問題を引き起こす。さらに、新たな基準信号を導入することは、これら新たな基準信号と動作するように設計されていないユーザ機器との後方互換性の問題を引き起こす。
【０００６】
チャネル状態情報基準信号を実施するためのより良好な方法およびシステムが必要とされる。
【発明の概要】
【０００７】
開示された設計は、無線通信システムにおいて、例えばＣＳＩ−ＲＳのような新たな基準信号を用いるための前述したニーズおよびその他のニーズを満足する。
【０００８】
以下は、開示された態様のうちのいくつかの態様の基本的な理解を与えるために、より単純化された概要を提供する。この概要は、広範囲な概観ではなく、重要または決定的な要素を識別することでも、そのような態様の範囲を線引きすることも意図されていない。その目的は、記載された特徴のうちのいくつかの概念を、後に表されるより詳細な記載に対する前置きとして、より簡単な形式で表すことである。
【０００９】
１つの態様では、無線通信のための方法が開示される。この方法は、リソース要素を備える第１のリソース・パターンを選択することと、ここで、第１のリソース・パターンは、第２のリソース・パターンと共存しない、チャネル状態情報基準信号（ＣＳＩ−ＲＳ）を送信するために、複数のアンテナに第１のリソース・パターンを割り当てることと、を含む。
【００１０】
別の態様では、リソース要素を備える第１のリソース・パターンを選択する手段と、ここで、第１のリソース・パターンは、第２のリソース・パターンと共存しない、チャネル状態情報基準信号（ＣＳＩ−ＲＳ）を送信するために、複数のアンテナに第１のリソース・パターンを割り当てる手段と、を備える無線通信のための装置が開示される。
【００１１】
別の態様では、リソース要素を備える第１のリソース・パターンを選択し、ここで、第１のリソース・パターンは、第２のリソース・パターンと共存しない、チャネル状態情報基準信号（ＣＳＩ−ＲＳ）を送信するために、複数のアンテナに第１のリソース・パターンを割り当てる、ように構成されたプロセッサを含む、無線通信のための装置が開示される。
【００１２】
別の態様では、少なくとも１つのコンピュータに対して、リソース要素を備える第１のリソース・パターンを選択させるための命令群と、ここで、第１のリソース・パターンは、第２のリソース・パターンと共存しない、少なくとも１つのコンピュータに対して、チャネル状態情報基準信号（ＣＳＩ−ＲＳ）を送信するために、複数のアンテナに第１のリソース・パターンを割り当てさせるための命令群と、を備えるコンピュータ読取可能な記憶媒体を含む、コンピュータ・プログラム製品が提供される。
【００１３】
別の態様では、無線通信のための方法が開示される。この方法は、近隣セルの基地局と、基準信号の送信に割り当てられたリソース・パターンを調整することと、この調整に基づいて、リソース・パターンのうちの１または複数の位置を制限することと、を備える。
【００１４】
別の態様では、近隣セルの基地局と、基準信号の送信に割り当てられたリソース・パターンを調整する手段と、この調整に基づいて、近隣セル内に割り当てられたリソース・パターンに対応する位置におけるリソース・パターンを制限する手段と、を備える、無線通信のための装置が開示される。
【００１５】
別の態様では、第２のリソース・パターンと共存しないリソース要素を備える第１のリソース・パターンを受信することと、第１のリソース・パターンにしたがって、チャネル状態情報基準信号（ＣＳＩ−ＲＳ）を受信することと、チャネル状態情報基準信号に基づいてチャネル品質推定を実行することと、を備える、無線通信のための方法が開示される。
【００１６】
別の態様では、第２のリソース・パターンと共存しないリソース要素グループを備える第１のリソース・パターンを受信する手段と、第１のリソース・パターンにしたがって、チャネル状態情報基準信号（ＣＳＩ−ＲＳ）を受信する手段と、チャネル状態情報基準信号に基づいてチャネル品質推定を実行する手段と、を備える、無線通信のための方法が開示される。
【００１７】
別の態様では、少なくとも１つのコンピュータに対して、第２のリソース・パターンと共存しないリソース要素グループを備える第１のリソース・パターンを受信させるための命令群と、少なくとも１つのコンピュータに対して、第１のリソース・パターンにしたがって、チャネル状態情報基準信号（ＣＳＩ−ＲＳ）を受信させるための命令群と、少なくとも１つのコンピュータに対して、チャネル状態情報基準信号に基づいてチャネル品質推定を実行させるための命令群と、を備える、不揮発性コンピュータ読取可能な媒体を備えるコンピュータ・プログラム製品が開示される。
【００１８】
別の態様では、第２のリソース・パターンと共存しないリソース要素グループを備える第１のリソース・パターンを受信し、第１のリソース・パターンにしたがって、チャネル状態情報基準信号（ＣＳＩ−ＲＳ）を受信し、チャネル状態情報基準信号に基づいてチャネル品質推定を実行する、ための命令群を格納するように構成されたプロセッサを含む、無線通信のための装置が開示される。
【００１９】
本開示のさまざまな態様および特徴が、以下にさらに詳細に記載される。
【図面の簡単な説明】
【００２０】
本開示の特徴、特性、および利点は、同一の参照符号が全体を通じて同一物を特定している図面とともに考慮された場合、以下に記載する詳細な記載からより明らかになるだろう。
【図１】図１は、典型的な無線通信システムを例示する。
【図２】図２は、典型的な送信構成を示す。
【図３】図３は、通常のサイクリック・プレフィクス（ＣＰ）サブフレームのためのリソース割当パターンを例示する。
【図４】図４は、拡張されたＣＰサブフレームのためのリソース割当パターンを例示する。
【図５】図５は、通常のＣＰサブフレームのための別のリソース割当パターンを例示する。
【図６】図６は、通常のＣＰサブフレームのための別のリソース割当パターンを例示する。
【図７】図７は、拡張されたＣＰサブフレームのための別のリソース割当パターンを例示する。
【図８】図８は、通常のＣＰサブフレームのためのさらに別のリソース割当パターンを例示する。
【図９】図９は、通常のＣＰサブフレームのためのさらに別のリソース割当パターンを例示する。
【図１０】図１０は、無線通信のための処理を例示する。
【図１１】図１１は、無線通信のための装置を例示する。
【図１２】図１２は、無線通信のための他の処理を例示する。
【図１３】図１３は、無線通信のための基地局装置を例示する。
【図１４】図１４は、無線通信のためのさらに別の処理を例示する。
【図１５】図１５は、無線通信のためのユーザ機器装置を例示する。
【図１６】図１６は、無線通信のための送信装置を例示する。
【発明を実施するための形態】
【００２１】
さまざまな態様が、図面を参照して記載される。以下の記載では、説明の目的のために、１または複数の態様の完全な理解を提供するために、多くの具体的な詳細が述べられる。しかしながら、これらさまざまな態様は、これら特定の詳細無しで実現されうることが明白である。他の事例では、これら態様の記載を容易にするために、周知の構成およびデバイスが、ブロック図形式で示される。
【００２２】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００などのようなラジオ技術を実現することができる。ＵＴＲＡは、広帯域ＣＤＭＡ（ＷＣＤＭＡ（登録商標））、およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰ（登録商標）ロング・ターム・イボリューション（ＬＴＥ）およびＬＴＥアドバンスト（ＬＴＥ−Ａ）は、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と命名された組織からの文書に記載されている。ＣＤＭＡ２０００およびＵＭＢは、「第３世代パートナシップ計画プロジェクト」（３ＧＰＰ２）と命名された組織からの文書に記載されている。本明細書で記載された技術は、他のシステムおよびラジオ技術と同様に、上述されたシステムおよびラジオ技術のために使用されうる。明確にするために、これら技術のある態様は、以下において、ＬＴＥについて記載されており、ＬＴＥ用語が以下の説明の多くで使用される。
【００２３】
ＤＬ  ＰＨＹチャネルは以下を含みうる。物理ダウンリンク共有チャネル（ＰＤＳＣＨ）、物理ブロードキャスト・チャネル（ＰＢＳＨ）、物理マルチメディア・チャネル（ＰＭＣＨ）、物理ダウンリンク制御チャネル（ＰＤＣＣＨ）、物理ハイブリッド自動反復要求インジケータ・チャネル（ＰＨＩＣＨ）、および物理制御フォーマット・インジケータ・チャネル（ＰＣＦＩＣＨ）。
【００２４】
ＵＬ  ＰＨＹチャネルは以下を含みうる。物理ランダム・アクセス・チャネル（ＰＲＡＣＨ）、物理アップリンク共有チャネル（ＰＵＳＣＨ）、および物理アップリンク制御チャネル（ＰＵＣＣＨ）。
【００２５】
さまざまな設計がＣＳＩ−ＲＳに関して以下で説明されているが、ＣＳＩ−ＲＳは、無線通信システムに導入されうる追加の基準信号の単なる例示的な例であると理解される。したがって、以下に提供される考慮および設計は、周知の、または、将来の基準信号にも同様に適用可能である。
【００２６】
ＬＴＥ仕様の以前のリリースでは、チャネル品質測定およびデータ復調のために、単一の基準信号しか定義されていない。ＬＴＥ−Ａは、復調およびチャネル品質測定のための２つの形式の基準信号、すなわち、復調基準信号（ＤＭ−ＲＳ）とチャネル状態情報基準信号（ＣＳＩ−ＲＳ）とを定義している。基地局（ｅノードＢまたはｅＮＢ）は、これら基準信号をスケジュールし、ＵＥへ送信しうる。ＵＥは、チャネル品質測定の実行、および、チャネル品質または空間特性へのフィードバックの提供ためにＣＳＩ−ＲＳを使用しうる。送信リソースの割当、すでに展開されているＵＥとの後方互換性、および、近隣セルにおけるＣＳＩ−ＲＳ送信との調整を含む、さまざまなＣＳＩ−ＲＳの特性が、以下により詳細に開示される。
【００２７】
図１は、ＬＴＥシステムまたはその他いくつかのシステムでありうる無線通信システム１００を例示する。システム１００は、多くのイボルブド・ノードＢ（ｅＮＢ）１１０およびその他のネットワーク・エンティティを含みうる。ｅＮＢ１１０は、ＵＥと通信するエンティティであり、基地局、ノードＢ、アクセス・ポイント等とも称されうる。おのおののｅＮＢ１１０は、特定の地理的領域のための有効通信範囲を提供し、有効通信範囲エリア内に位置するＵＥのための通信をサポートしうる。容量を改善するために、ｅＮＢの有効通信範囲全体が、多数（例えば３つ）の、より小さなエリアへ分割されうる。小さなエリアおのおのは、それぞれのｅＮＢサブシステムによってサービス提供されうる。３ＧＰＰでは、用語「セル」は、この有効通信範囲エリアにサービス提供しているｅＮＢおよび／またはｅＮＢサブシステムのうちの最小の有効通信範囲エリアを称しうる。
【００２８】
ＵＥ１２０は、システムの全体にわたって分布しうる。そして、おのおののＵＥ１２０は、固定式または移動式でありうる。ＵＥ１２０は、移動局、端末、アクセス端末、加入者ユニット、局等とも称されうる。ＵＥ１２０は、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック等でありうる。
【００２９】
ＬＴＥは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、周波数範囲を、一般にトーン、ビン等とも称される複数（Ｋ個）の直交サブキャリアに分割する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，２０メガ・ヘルツ（ＭＨｚ）のシステム帯域幅についてそれぞれ１２８、２５６、５１２、１０２４、２０４８に等しい。システム帯域幅は、合計Ｋ個のサブキャリアのサブセットに対応しうる。
【００３０】
図２は、ＬＴＥにおけるダウンリンク用の送信構造２００を例示する。送信タイムラインは、サブフレーム単位に分割されうる。おのおののサブフレームは、例えば１ミリ秒（ｍｓ）のような予め定められた持続時間を有し、多くのスロット（例えば、２つのスロット）へ分割されうる。おのおののスロットは、（図２における横軸２０４に沿って示すように）通常のサイクリック・プレフィクスの場合、７つのＯＦＤＭシンボル期間、または、（図２に示されていないが）拡張されたサイクリック・プレフィクスの場合、６つのシンボル期間をカバーしうる。おのおののスロットに対して、送信リソース・ブロック数が定義されうる。おのおののリソース・ブロックは、１つのスロットにおいて（縦軸２０２に沿って示すように）１２のサブキャリアをカバーしうる。おのおののスロットにおけるリソース・ブロック数は、システム帯域幅に依存しうる。そして、１．２５ＭＨｚ乃至２０ＭＨｚのシステム帯域幅について、６乃至１１０に及びうる。利用可能なリソース・ブロックは、さまざまなダウンリンク送信に割り当てられうる。（図２に示されていない）拡張されたサイクリック・プレフィクスの場合、１つのサブフレーム内の２つのスロットが、０乃至１１のインデクスを付された１２のシンボル期間を含みうる。
【００３１】
いくつかの設計では、リソース要素（ＲＥ）２０６は、ダウンリンク送信のためにスケジュールされた送信リソースの単位でありうる。いくつかの設計では、１つのＲＥ２０６は、ダウンリンク送信の１つのシンボル（またはコードワード）に対応しうる。特定の信号のダウンリンク送信のために利用可能とされたＲＥ２０６は、例えば図２に示すような２次元グリッドとともに図示された場合、「パターン」を形成しうる。したがって、信号の送信のためのＲＥの割当は、この信号の送信パターンと称されうる。さらに、用語「ＲＥの位置」は、サブフレームまたはリソース・ブロック内のＲＥのうちの１つに関連付けられた時間（ＯＦＤＭシンボル）および周波数（サブキャリア）を称しうる。あるいは、例えば、図２に示されるように、サブフレームまたはリソース・ブロックで利用可能な送信リソースの２次元表示におけるＲＥ２０６の位置を略式的に称しうる。
【００３２】
ＣＳＩ−ＲＳに関連付けられた送信オーバヘッドは、ＬＴＥ−ＡとレガシーＬＴＥとの両方のパフォーマンスとトレード・オフする必要がありうる。ＣＳＩ−ＲＳの送信のために、例えばＲＥ２０６のような送信リソースを割り当てるために、ｅＮＢ１１０は、チャネル・パフォーマンスを向上するためのＣＳＩ−ＲＳの有効性と、データ・トラフィックのための送信リソースの低減された利用度によるインパクトとのトレード・オフを実行しうる。特に、ＣＳＩ−ＲＳは、レガシーＵＥ１２０のためのデータ送信から、送信リソースをパンクチャ、すなわち、除去しうる。したがって、ＣＳＩ−ＲＳのオーバヘッドを増加させることは、レガシーＵＥ１２０に対するデータ送信レートまたはパフォーマンスを低下させうる。一方、ＣＳＩ−ＲＳが送信リソースをほとんど割り当てられない場合、受信機は、受信したＣＳＩ−ＲＳに基づいて、適切なチャネル推定を実行できないことがありうる。したがって、ＣＳＩ−ＲＳ送信は、頻繁に（例えば、２乃至１０ミリ秒）送信され、十分な周波数範囲（例えば、チャネル全体の帯域幅）をカバーし、別のシングル・セルおよびマルチ・セル送信スキームのために適切なチャネル推定パフォーマンスを提供する。
【００３３】
いくつかの設計では、この送信リソース問題は、ＣＳＩ−ＲＳ送信に割り当てられるＲＥ２０６の密度を制御することによって対処されうる。用語「密度」は、ここでは、利用可能なすべての送信リソース（例えば、トーン、時間スロット、または符号）のうちのどれだけが、ＣＳＩ−ＲＳの送信に割り当てられているかを示す尺度を称する。いくつかの設計では、送信リソースの密度は、リソース・ブロック（ＲＢ）におけるＣＳＩ−ＲＳ送信のために割り当てられたＲＥ２０６の数を制限することによって制御されうる。いくつかの設計では、送信リソースの密度は、ＣＳＩ−ＲＳ送信のデューティ・サイクルを調節することにより制御されうる。用語「デューティ・サイクル」は、ＣＳＩ−ＲＳ送信の周期を称する。例えば、２ミリ秒（ｍｓ）のデューティ・サイクルは、ＣＳＩ−ＲＳが２ｍｓ毎に送信されることを意味しうる。いくつかの設計では、送信リソースの密度は、ＣＳＩ−ＲＳ送信を備えるサブフレームの数を制限することにより制御されうる。ＣＳＩ−ＲＳ送信リソースの密度を制御するこれらおよびその他の態様は、以下により詳細に記載される。
【００３４】
研究は、２ＲＥ／ＲＢの周波数密度および１０ｍｓのデューティ・サイクルを持つＣＳＩ−ＲＳは、シングル・ユーザＭＩＭＯ（ＳＵ−ＭＩＭＯ）のために適切なＬＴＥ−Ａパフォーマンスを提供しうることを示している。いくつかの研究は、アンテナ・ポート毎に２ＲＥ／ＲＢよりも高い密度になると、特に、高い符号化レートを持つ変調および符号化スキーム（ＭＣＳ）について、ＵＥのパフォーマンスが顕著に低下しうることを示唆している。いくつかの設計では、ｅＮＢ１１０におけるスケジューラは、ＣＳＩ−ＲＳの送信密度に基づいて、スケジュールされたＵＥ１２０のレート予測におけるパフォーマンスのロスを考慮することによって、レガシーＵＥ１２０のパフォーマンス・ロスのインパクトを低減しうる。いくつかの設計では、ｅＮＢ１１０は、低い符号化レートを持つ要求されたＭＣＳを用いて、レガシーＵＥ１２０をスケジュールしうる。いくつかの設計では、ｅＮＢ１１０は、ＣＳＩ−ＲＳ送信がレガシーＵＥ１２０にインパクトを与えることを回避するために、ＣＳＩ−ＲＳが送信されるサブフレームにおいてＬＴＥ−Ａユーザのみをスケジュールしうる。いくつかの設計では、アンテナ・ポート毎の２ＲＥ／ＲＢの周波数密度が、パフォーマンスとオーバヘッドとの間の合理的なトレード・オフとなりうる。他の設計では、１ＲＥ／ＲＢの固定密度が、合理的なトレード・オフでありうる。ＣＳＩ−ＲＳに割り当てられたアンテナ・ポート毎のＲＥ／ＲＢの数は、予め定められた数に固定化されうる。ＲＢ毎のＲＥの固定割当は単に、ＣＳＩ−ＲＳ送信がスケジュールされるＲＢに、ある数のＲＥを割り当てることを示唆しており、ｅＮＢ１１０によってスケジュールされたすべてのＲＢが、ＣＳＩ−ＲＳ送信のために多くのＲＥを含んでいることを必ずしも意味しないことに注目されたい。
【００３５】
いくつかの設計では、以下に説明するように、特定の密度数が、割り当てられたＲＥ間の特定の周波数間隔にマップされうる。例えば、以下に提供されるある設計では、２ＲＢ／ＲＥの密度が、ＣＳＩ−ＲＳ  ＲＥ２０６間の６つのサブキャリアの周波数間隔に対応しうる。この間隔は、Ｒｅｌ−８共通（またはセル特有）の基準信号（ＣＲＳ）間隔に類似していることが認識されうる。ある設計では、ＣＲＳに類似したサブキャリア間隔を有することによって、ＣＳＩ−ＲＳを復調するために受信機においてＣＲＳ復調構成を導入することが可能になる。
【００３６】
いくつかの設計では、ＣＳＩ−ＲＳのデューティ・サイクルは、例えば２、５、または１０ｍｓのような制限された値のセットに（準）静的な方式で設定可能でありうる。デューティ・サイクルの動作値は、ブロードキャスト・チャネルにおける情報ブロックでＬＴＥ−Ａ  ＵＥ１２０にシグナルされうる。いくつかの設計では、異なるデューティ・サイクルが、各アンテナ・ポートのために指定されうる。いくつかの設計では、同じ値のデューティ・サイクルが、セル内で定義されたすべてのアンテナ・ポートのために定義されうる。同じ値のデューティ・サイクルを用いることは、シグナリング・オーバヘッドと、異なるアンテナ・ポートのために異なる値のデューティ・サイクルをスケジュールすることおよび使用することを同時に行うことに関連付けられた計算上の複雑さを低減しうる。
【００３７】
図３は、送信されたシンボル（時間）を表す横軸３０２と周波数を表す縦軸３０４とを備えた通常のＣＰサブフレーム３００を図示する。前述するように、サブフレーム３００のおのおのの“タイル”は、送信のために利用可能な単一のＲＥ２０６を表しうる。いくつかの設計では、ＲＥ２０６における送信はさらに、同じＲＥ２０６内の別の送信とともに符号分割多重化されうる。
【００３８】
ＬＴＥシステムでは、あるＲＥ２０６が、各サブフレームの先頭において、制御信号の送信（例えば、制御領域）のために割り当てられうる。図３では、これら割り当てられたＲＥ２０６に対応するＲＥ２０６が、ハッチングされている。制御領域は、この例では、３つのＯＦＤＭシンボルに及ぶように示されているが、制御領域は、別の例では、別の数のＯＦＤＭシンボルに及びうることが理解される。さらに、あるＲＥ２０６は、共通（またはセル特有）の基準信号（ＣＲＳ）に割り当てられる。ＣＲＳは、特定のセルのｅＮＢ１１０の識別情報に基づいて、ＲＢ内の位置にシフトされうる。図３では、“Ｃ”とマークされたタイルは、ＣＲＳ送信のために使用されうるＲＥ２０６を表わす。さらに、ＬＴＥリリース９において、復調基準信号（ＤＭ−ＲＳ）（ＵＥ特有の基準信号またはＵＥ−ＲＳとしても称される）の送信に割り当てられたＲＢ２０６は、“Ｄ”とマークされている。いくつかの設計では、他の制御信号および基準信号にこのように割り当てられたＲＥ２０６は、ＣＳＩ−ＲＳに割り当てられない場合がある。当業者であれば、ある制御信号または基準信号の送信に割り当てられたＲＥ２０６は、制御／基準信号が、スケジュールされたすべてのＲＢに存在することを意味している必要は無く、単に、特定の制御／基準信号が送信された場合、割り当てられたＲＥ位置のうちの１または複数で送信されるであろうことを意味するものと理解するであろう。したがって、ある設計では、３０６、３０８、３１０、３１２、３１４、３１６としてマークされたＲＥ領域のみが、ＣＳＩ−ＲＳの送信のために利用可能でありうる。ある設計では、ＣＲＳが、セル依存のオフセットを用いて送信されるので、ＣＲＳが提供されるＯＦＤＭシンボルの全体（ハッチングされている）が、ＣＳＩ−ＲＳの送信のために回避されうる。これは、ＣＳＩ−ＲＳが、同期ネットワークにおける近隣セルのＣＲＳと衝突することを回避するのに役立つ。
【００３９】
図４は、“Ｄ”および“Ｃ”とマークされ、ＤＭ−ＲＳおよびＣＲＳに割り当てられたＲＥ２０６を示す、拡張されたＣＰサブフレーム４００を図示する。前述したように、領域４０２、４０４、４０６、４０８、４１０、４１４、４１６、４１８、４２０におけるＲＥ２０６は、ＣＳＩ−ＲＳ送信のために利用可能でありうる。図４に示されたＤＭ−ＲＳ  ＲＥ２０６は、ＬＴＥリリース９におけるランク２のためのＤＭ−ＲＳ  ＲＥに対応しうる。一般に、その他のＤＭ−ＲＳ位置も可能である。通常のＣＰサブフレーム３００について図示されたＤＭ−ＲＳ密度（図３）は、２４ＲＥ／ＲＢであり、拡張されたＣＰサブフレーム４００については３２ＲＥ／ＲＢであることに注目されたい。したがって、これらの設計では、ＣＳＩ−ＲＳ送信のために利用可能なＲＥ２０６の最大数は、通常のＣＰサブフレームおよび拡張されたＣＰサブフレームについてそれぞれ、６０ＲＥ／ＲＢおよび４０ＲＥ／ＲＢでありうる。
【００４０】
図５を参照して、さらに別の基準信号に割り当てられたＲＥ２０６を含むサブフレーム５００が示される。ある設計はさらに、図５のタイル“Ｒ"に示すように、Ｒｅｌ−８ダウンリンク基準信号（ＤＲＳ）（ＵＥ特有の基準信号またはＵＥ−ＲＳとも称される）のために使用され得るシンボルとのＣＳＩ−ＲＳの衝突を回避しうる。ＤＲＳ信号は、ＴＤＤモードで送信され、ＤＲＳの位置（使用されるＲＥ２０６）は、セルＩＤに依存する。このような設計では、図５のサブフレーム５００における領域５０２、５０４、５０６、５０８、５１０として図示されるように、ＣＳＩ−ＲＳのために利用可能なＲＥ２０６の数が、２４ＲＥに低減されうる。あるいは、その他のいくつかの設計では、ＲＥ位置の全体を除外するのではなく、実際の割当／送信中にＤＲＳによって使用されるＲＥ２０６のみが除外されうる。言い換えれば、おのおののセルのＣＳＩ−ＲＳパターンが、この特定のセルのＤＲＳパターンとオーバラップしないように初期化されうる。
【００４１】
図３、４、５から、その他の基準信号およびレガシー基準信号のために使用されるパターンとの共存を避ける設計では、ＣＳＩ−ＲＳのために利用可能なＲＥ２０６の数が、より小さなサブセットに制限されうることが理解されうる。いくつかの設計では、特定のアンテナ・ポートからの、周波数範囲にわたる送信の一定の間隔を達成するために、特定のアンテナ・ポートからのＣＳＩ−ＲＳ送信のために割り当てられたＲＥ２０６が、利用可能なすべてのＣＳＩ−ＲＳ  ＲＥ２０６位置から選択されうる。この一定間隔制約はさらに、すべてのアンテナ・ポートからのＣＳＩ−ＲＳ送信のために利用可能なＲＥ２０６の総数を制限しうる。ＣＳＩ−ＲＳが周波数範囲にわたって一定間隔をとる設計では、前述したように、ＣＳＩ−ＲＳの復調が、簡素化されうる。さらに、ＣＳＩ−ＲＳの送信のために、一定間隔のＲＥ２０６を用いることによって、周波数範囲の全体にわたってより正確なチャネル品質推定を提供しうる。いくつかの設計では、特定のアンテナ・ポートに対応するＣＳＩ−ＲＳに割り当てられたＲＥ２０６は、周波数において一定間隔をとりうる。したがって、ある設計では、セルのＣＳＩ−ＲＳポートは、１つの所与のシンボルにおいて、一定間隔をとるサブキャリアを与えられうる。
【００４２】
ある設計では、ＤＭ−ＲＳに割り当てられたＲＥ２０６は、（例えば、図３、４に示すように）ＣＳＩ−ＲＳから除外されうる。前述したように、これはさらに、ＣＳＩ−ＲＳ送信のために利用可能なＲＥ数を低減しうる。例えば、サブフレーム３００では、ＣＳＩ−ＲＳのための利用可能なＲＥ２０６の数は、３６に低減されうる。ＤＭ−ＲＳシンボルを除外するいくつかの設計では、ＣＳＩ−ＲＳ送信のために利用可能なＲＥ２０６の減少を救済するために、ＣＲＳアンテナ・ポート数が２に制限されうる。ＣＲＳアンテナ・ポート数を２に制限することによって、アンテナ・ポート２、３のためのＣＲＳを含むＯＦＤＭシンボルは、ＣＳＩ−ＲＳ送信のために使用されうる。ＣＲＳのこの再割当は、通常のサブフレームでは、利用可能なＣＳＩ−ＲＳシンボル数を４８に増加させうる。
【００４３】
図６、７に示すように、特に、上記特性はまた、拡張されたＣＰサブフレームおよび通常のＣＰサブフレームのためのＣＳＩ−ＲＳのために、一定の構造を提供しうる。ＣＳＩ−ＲＳへ２ＲＥ／ＲＢ割当を用いる設計の場合、利用可能なＲＥ２０６を、（図６、７に示すペアのように）ＲＥ２０６のグループにグループ化することが可能である。（例えば、図６、７において、６つのサブキャリアを配置する周波数のように）おのおののペアは、同じ周波数間隔を持つ同じＲＢ内に２つのＲＥ２０６を含んでいる。例えば、図３に示すように、図６は、ＲＥ２０６のペアを例示する。図６において、同じ番号を持つＲＥ２０６は、ペアを形成しうる。そして、互いに、および、（図６には示されていないが）隣接するＲＢにおける対応するＲＥ２０６に関して、６サブキャリア離されうる。言い換えれば、連続するＲＢがＣＳＩ−ＲＳ送信に割り当てられている場合、ＲＥ２０６割当のパターンは、単に１つのＲＢ内で一定であるのではなく、複数のＲＢにわたっても同様に一定（すなわち、図６に示す横軸および縦軸の両方に沿って一定）でありうる。図６から分るように、ＣＳＩ−ＲＳのために使用される図３に示す６０の利用可能なＲＥからの５２のＲＥを用いて、周波数間隔６で、２６ペアのＲＥ２０６が可能でありうる。ポート毎に１ＲＥ／ＲＢがＣＳＩ−ＲＳに割り当てられた場合、図６において利用可能なおのおののＲＥ２０６（合計６０のＲＥ２０６）が、１から６０までのユニークな番号を与えられ、アンテナ・ポートへの割当に利用可能となりうることが認識されるであろう。
【００４４】
図７は、拡張されたＣＰサブフレームについて図４に図示するような利用可能な４０すべてのＲＥ２０６を用いて２０のＲＥペアが形成される別のペアリング例を例示する。ある設計では、おのおののＲＥペアは、ＲＢ毎に１つのＣＳＩ−ＲＳアンテナ・ポートのために使用されうる。
【００４５】
所与のセルは、ＣＳＩ−ＲＳ送信のために制限された数のＲＥ２０６しか必要としない（例えば、８アンテナ構成は、アンテナ・ポート毎に１つの、８つの割当を必要とする）が、図６または図７に図示される利用可能なＲＥ２０６は、近隣セルのｅＮＢ１１０が同じＲＥ２０６を使用しないように、近隣セル間で共有されうることが認識されるだろう。例えば、図６に示すように、１つのｅＮＢ１１０は、１乃至８と符番されたＲＥ２０６を使用しうる一方、近隣のｅＮＢ１１０は、ＣＳＩ送信のために、９乃至１６と符番されたＲＥ２０６を使用しうる。したがって、近隣セルは、ｅＮＢ１１０間でＲＥ割当を調整することによって、ＣＳＩ−ＲＳ衝突を回避できうる。
【００４６】
図８は、サブフレーム８００の例を例示する。ここでは、４つのＲＥペア８０２、８０４、８０６、８０８がＣＳＩ−ＲＳアンテナ・ポートに割り当てられうる。ＲＥペア８０２、８０４、８０６、８０８は、周波数と時間との両方にわたって一定の間隔を取るように選択されうる。サブフレーム８００に示すような一定の割当は、ＲＥ２０６の不相応な「混雑」を回避することに役立ち、いくつかのサブフレームにおけるレガシーＵＥ１２０送信に負荷を負わせる。これは、複数のコードブロックを用いてスケジュールされたレガシーＵＥのために実質的に等しい全てのコードブロックをＣＳＩ−ＲＳがパンクチャすることを保証しうる。
【００４７】
ある設計では、ＣＳＩ−ＲＳのためＲＥペアの割り当てられた位置は、セル依存でありうる。そして、ＣＳＩ−ＲＳアンテナ・ポートの数および物理セルＩＤに応じて初期化されうる。したがって、ある設計では、ＣＳＩ−ＲＳのために利用可能なＲＥ２０６を持つＯＦＤＭシンボルは、２つのセット、すなわち、サブフレームの第１のスロットを有する第１のセットと、サブフレームの第２のスロットを有する別のセットへ分割されうる。ある設計では、レガシーＵＥ１２０のデータ・トラフィックにおけるインパクトを低減するために、ＣＳＩ−ＲＳパターンの初期手順は、ＣＳＩ−ＲＳ送信のために使用されるＯＦＤＭシンボルが、ＯＦＤＭシンボルの２つの分割間を交互するか、あるいは、前述したように、等しく２つのスロットを交互することを保証しうる。
【００４８】
図９を参照して、通常のサブフレーム９００のためのリソース割当の例が示される。図示する例のサブフレーム９００では、所与のアンテナ・ポートのＣＳＩ−ＲＳ位置は、別のＯＦＤＭシンボルにおいて等しく間隔を取られたサブキャリアを占有しうる。ＣＳＩ−ＲＳ送信のために利用可能なＲＥ２０６は、１乃至１２に符番されている。望ましい一定の周波数間隔（例えば、この例では６）の場合、望ましい一定の間隔（例えば、この例では６）を有する２つのＲＥ２０６が、ＣＳＩ−ＲＳに割り当てられうる。例えば、番号１を持つ何れかのＲＥ２０６が、番号７を持つ何れかのＲＥ２０６とペアとされうる。そして、１つのＣＳＩ−ＲＳアンテナ・ポートの送信のための位置を表しうる。４つのペアであるＲＥ９０２、９０４、９０６、９０８が、通常のサブフレーム９００において図示されている。ペア９０２、９０４、９０６、９０８は、横（時間）軸３０２および縦（周波数）軸３０４の両方にわたって一定に間隔が取られている。
【００４９】
さらに図９を参照して、おのおののＣＳＩ−ＲＳアンテナ・ポートのために使用されるＲＥ２０６間のサブキャリア間隔が、必要とされる周波数間隔とともに一定である限り、ＣＳＩ−ＲＳアンテナ・ポートが、異なるリソース・ブロックにわたって確保された異なるＲＥ２０６位置（図９においてハッチングされたタイル）にマップされうることが認識されうる。ある設計では、別のリソース・ブロックおよび／またはサブフレームにわたる別のマッピングが、基準信号の電力上昇を目的として、おのおののＯＦＤＭシンボル内のすべてのアンテナ・ポートについて、同じ数のＣＳＩ−ＲＳアンテナ・ポートＲＥ２０６を提供するために使用されうる。
【００５０】
ある設計では、ＣＳＩ−ＲＳは、（単一のサブフレームで送信されるのではなく、）所与のフレーム内の複数のサブフレームで送信されうる。このような設計では、同じセルの異なるアンテナ・ポートのためのＣＳＩ−ＲＳ、または、異なるセルにわたるＣＳＩ−ＲＳが、別のサブフレームで送信されうる。１つの態様では、異なるセル間のＣＳＩ−ＲＳの衝突率が、確率的に低減されうる。さらに、ｅＮＢ１１０は、配置や、ＣＳＩ−ＲＳに割り当てられたＲＥ２０６のパターンにおいて、より高い柔軟性を持ちうる。例えば、ある設計において、送信が、０乃至９と符番された１０のサブフレームを備えるフレームとして構成されている場合、ＣＳＩ−ＲＳ送信は、サブフレーム＃０おいてのみ生じうる。他の設計では、ＣＳＩ−ＲＳ送信は、例えばサブフレーム０，１のように、より多くのサブフレームでスケジュールされうる。
【００５１】
しかしながら、ＣＳＩ−ＲＳ送信のために複数のサブフレームを用いることは、レガシーＵＥ１２０のパフォーマンスに対して起こりうるインパクトによるトレード・オフを必要としうる。例えば、多くのサブフレームからＲＥ２０６を取り除くことは、複数のサブフレームにおけるレガシーＵＥ１２０のデータ領域をパンクチャし、これによって、システム・パフォーマンスが低下する。したがって、いくつかの設計は、レガシーＵＥ１２０データ領域をパンクチャすることのインパクトを、サブフレームを伝送する予め定めた数のＣＳＩ−ＲＳへ限定しうる。これによって、ｅＮＢ１１０は、これらサブフレームにおいてＬＴＥ−Ａ  ＵＥ１２０のみをスケジュールすることによって、または、これらサブフレームにおいて低いレートでレガシーＵＥ１２０をスケジュールすることによって、これらサブフレームにわたるデータ送信をスケジュールできるようになる。
【００５２】
さらに、ＣＳＩ−ＲＳ送信を、予め定めた数のサブフレームに制限することによって、ＵＥ１２０におけるより良好なバッテリ寿命管理をも可能としうる。例えば、セル内の異なるアンテナ・ポートから、または、複数のセルからのＣＳＩ−ＲＳが、サブフレーム１、６で送信された場合、ＵＥ１２０は、ＣＳＩ−ＲＳ送信を受信し処理するために、フレーム内で２度ウェイク・アップする必要がありうる。しかしながら、すべてのＣＳＩ−ＲＳがサブフレーム１で送信された場合、ＵＥ１２０は、１つのサブフレームについてしかウェイク・アップする必要がなくなり、別のサブフレーム内の別のアンテナ・ポートまたは複数のセルからのＣＳＩ−ＲＳを測定するために頻繁にウェイク・アップしなければならないことを回避する。
【００５３】
したがって、ある設計では、ＣＳＩ−ＲＳの送信は、ＣＳＩ−ＲＳサブフレームと称される、制限された数のサブフレームに限定されうる。ＣＳＩ−ＲＳサブフレームの数は、異なるセルにわたる所望のＣＳＩ−ＲＳ衝突率に基づいて選択されうる。例えば、前述したように、すべてのセルからのＣＳＩ−ＲＳ送信を同じサブフレームに制限することは、衝突の確率が高くなりうるが、ＵＥ１２０のバッテリ・パフォーマンスの向上に役立ちうる。ある設計では、ＣＳＩ−ＲＳサブフレーム・セットからのラジオ・フレーム内のページング、同期信号、またはＰＢＣＨを含むサブフレーム、すなわち、ＦＤＤモードにおけるサブフレーム｛０、４、５、９｝は、これら制御信号との潜在的な干渉を回避するために、ＣＳＩ−ＲＳを伝送することから除外されうる。
【００５４】
ある設計では、ＣＳＩ−ＲＳサブフレーム数が１より大きい場合、近隣のｅＮＢ１１０によって使用されるＣＳＩ−ＲＳサブフレームは、（例えば、サブフレーム番号０、１のように）連続するように調整され、これによって、ＵＥ１２０は、単一のウェイク・アップ・サイクルにおける異なるｅＮＢ１１０からのＣＳＩ−ＲＳ信号を測定できるようになる。さらに、使用される連続サブフレーム数が可能な限り小さくなるように制限されるように、異なるｅＮＢ１１０からのＣＳＩ−ＲＳ送信が調整されうる。例えば、ＣＳＩ−ＲＳリソースが、別のｅＮＢがＣＳＩ−ＲＳを送信している１つのサブフレームで利用可能である場合、第２のｅＮＢ１１０は、ＣＳＩ−ＲＳ送信のための別のサブフレームを選択するのではなく、同じサブフレームでＣＳＩ−ＲＳ送信を実行しうる。
【００５５】
ある設計では、同じセルの異なるアンテナ・ポートからのＣＳＩ−ＲＳ送信は、直交多重化されうる。例えば、図８を参照して、領域８０４においてインデクス１１を持つＲＥと、インデクス１０を持つ近隣のＲＥとはともに、２つのアンテナ・ポート（１および２）のＣＳＩ−ＲＳ送信のために使用されうる。しかしながら、これら２つの送信は、互いに直交するように符号分割多重化されうる。
【００５６】
図１に関して前述したように、無線通信システム１００内には複数のｅＮＢ１１０が存在しうる。ある設計では、複数のｅＮＢ１１０は、互いに、それぞれのセル内のＣＳＩ−ＲＳ送信を調整しうる。この調整は、以下に詳述するように、２つの動作、すなわち「制限」と「ホッピング」を含みうる。
【００５７】
セルにおけるＣＳＩ−ＲＳ送信に割り当てられたＲＥ２０６のパターンは、異なるセルにわたるＣＳＩ−ＲＳ信号の発生をランダム化するため、および、衝突率を下げるために、ホップ、すなわち変更されうる。支配的な干渉体によるセル衝突の状況では、ホッピングは、支配的なｅＮＢ１１０による干渉を有利に回避しうる。例えば、ホッピングがない場合、セルのＣＳＩ−ＲＳが、支配的な干渉体のＣＳＩ−ＲＳと一度衝突すると、常に衝突する恐れがあり、ＵＥ１２０は、ＣＳＩ−ＲＳから正確なＣＳＩ測定値を取得できなくなる。しかしながら、パターンがホッピングしている場合、ある場合には衝突しない可能性が極めて高くなる。これは、ＵＥ１２０に対して、より弱いセルのＣＳＩ−ＲＳを用いてＣＳＩを確実に推定する機会を与える。さまざまな設計では、ホッピング・パターンは、システム時間、アンテナ・ポート・インデクス、物理セルＩＤ、またはこれらパラメータの組み合わせに応じて選択されうる。例えば、いくつかの設計では、おのおののＣＳＩ−ＲＳポートは、周波数オフセット、利用可能なシンボルのセットからのシンボル・インデクス、および、ＣＳＩ−ＲＳサブフレームのセットからのサブフレーム・インデクスを割り当てられうる。おのおののサブフレームにおけるＣＳＩ−ＲＳ送信のために、アンテナ・ポート毎に２つのＲＥ／ＲＢが割り当てられる。このＣＳＩ−ＲＳポートは、上述したパラメータのランダムな関数として、異なるＲＥペアに割り当てられうる。
【００５８】
１つの設計では、（図５に示すように、例えば１乃至２６のような）ＲＥペア・インデクスに対するアンテナ・ポートの割当は、ＣＳＩ−ＲＳ送信が存在するおのおののサブフレームにおける１乃至２６からランダムに選択することによって実行されうる。ＣＳＩ−ＲＳを含むサブフレームは、ランダムに選択されうる。ランダム・ホッピングは、物理セルＩＤ、システム時間、および恐らくはアンテナ・ポート・インデクスを考慮する準ランダム・シーケンス生成器によって生成されうる。ある設計では、ホッピング機能または準ランダム・シーケンスは、同じセルのＣＳＩ−ＲＳアンテナ・ポートにわたる直交性を確保するように選択されうる。
【００５９】
ホッピング・パターンはまた、チャネル推定のために高い周波数領域グラニュラリティを提供するために有利に使用されうる。これは、低速ユーザの場合、あるいは、設定されたデューティ・サイクルが低い（すなわち、ＣＳＩ−ＲＳが大きな時間ギャップで送信される）場合に、特に正しい。例えば、ホッピング・パターン無しで周波数分解能を向上するためには、所望の周波数範囲をカバーするＣＳＩ−ＲＳを送信するために、周波数においてより高いＣＳＩ−ＲＳ密度を必要としうる。しかしながら、ｅＮＢ１１０は、ホッピング・パターンを用いて、任意のアンテナ・ポートのために、（異なるオフセットを用いて）周波数領域の広いサンプリングを保証するパターンを割り当てうる。したがって、探索時間毎の周波数分解能が低い場合であっても、時間にわたって取得された複数の探索周波数が、有効な周波数分解能を高めうる。
【００６０】
ある設計では、ホッピング・パターンは、サブフレーム内のＲＥ２０６にわたってのみならず、すべてのＣＳＩ−ＲＳサブフレームのＲＥ２０６にわたって集合的に、ランダム化（直交化）するように定義されうる。例えば、特定のＣＳＩ−ＲＳポートのために割り当てられたＲＥ位置が、３つのパラメータ、すなわち、サブフレーム番号（ＳＦＮ）、時間、および周波数に応じて示される場合、これら３つすべてのパラメータが、可能な値のセット内でホップされうる。このホッピング、すなわちランダム化は、ＣＳＩ−ＲＳサブフレーム・セット・サイズが、１より大きい場合に、ＲＥ割当をランダム化することに役立ちうる。
【００６１】
ある例では、割り当てられたＣＳＩ−ＲＳ  ＲＥ２０６のパターンが、サブフレームにわたってホップされうる。言い換えれば、おのおののセルのために、ＣＳＩ−ＲＳ送信を含むサブフレーム（単数または複数）は、経時的に、ＣＳＩ−ＲＳサブフレーム内でホップされうる。例えば、ラジオ・フレーム内のＣＳＩ−ＲＳサブフレーム・セット｛１，２｝を考慮し、ＣＳＩ−ＲＳ周期が１０ｍｓであると仮定されたい。この場合、１０ｍｓの期間が経過すると、特定のポートおよび特定のセルのためのＣＳＩ−ＲＳ位置は、サブフレーム１または２のうちの１つに存在しうる。いくつかの設計では、割り当てられたサブフレーム（すなわち、１または２）は、経時的に変化しない場合がありうる。例えば、ポートｘ、セルＩＤｙに関するＣＳＩ−ＲＳ位置は、常にサブフレーム・インデクス１に存在しうる。他の設計では、ポートｘ、セルＩＤｙに関してＣＳＩ−ＲＳに割り当てられたサブフレームは、１０ｍｓ毎に、サブフレーム・インデクスまたは番号の可能なすべての値（この例では、１または２）の間でホップされうる（すなわち、ランダムに選択されうる）。サブフレーム番号ホッピングは、セルＩＤ、アンテナ・ポート、ＣＳＩ−ＲＳサブフレーム・セット、またはシステム時間に応じうる。
【００６２】
サブフレーム・ホッピング・アプローチは、セル間ＣＳＩ−ＲＳ送信の衝突を低減することに役立ちうる。例えば、デューティ・サイクルにおけるセルのすべてのアンテナ・ポートの全てのＣＳＩ−ＲＳが、ＣＳＩ−ＲＳサブフレーム・セットから選択された１つのサブフレーム内に存在し、このサブフレームのインデクスが、（例えば、ＣＳＩ−ＲＳアンテナ・ポートの数、ＣＳＩ−ＲＳサブフレームの数、およびシステム時間のような）その他のパラメータの中でも、セルＩＤに依存して経時的にホップされる場合、異なるセルのＣＳＩ−ＲＳが経時的に別のサブフレーム内に存在しうるので、衝突率が低減されうる。いくつかの設計では、レガシーＵＥ１１０に対するこのインパクトはまた、前述したように、ＣＳＩ−ＲＳ送信のために使用されるサブフレームの総数を制限することによって、最小数のサブフレームに制限されうる。さらに、フィードバック計算の計算複雑さも、前述したように、ＣＳＩ−ＲＳ送信のサブフレームの総数を制限することによって低減されうる。
【００６３】
いくつかの設計では、ＣＳＩ−ＲＳパターンの２レベルのホッピングが使用されうる。１つのレベルは、サブフレーム内でのＲＥ２０６への周波数／時間／符号割当のホッピングに対応し、他のレベルは、セルおよび／または特定のポートのＣＳＩ−ＲＳ送信が存在するサブフレーム・インデクスのホッピングに対応しうる。このマルチ・レベル・ホッピングは、別のセルを介した別のアンテナ・ポート・インデクスのＣＳＩ−ＲＳ送信間の衝突を回避することに役立ちうる。
【００６４】
いくつかの設計では、ホッピング・モードは、準静的または動的な方式で、ディセーブルまたはイネーブルされうる。ＵＥ１２０は。高次レイヤ・シグナリングによって、ブロードキャスト・チャネルまたはユニキャスト・チャネルを介して、および／または、レイヤ２シグナリング内で、ＣＳＩ−ＲＳホッピング・モードを通知されうる。
【００６５】
ある設計では、ホッピング・モードのイネーブル／ディセーブルの選択、および、各セルがＣＳＩ−ＲＳ送信のために使用するであろう位置を選択することは、例えば、送信モード、ユーザ数、および、チャネル品質と機能に依存しうる。例えば、マルチ・セル・セットアップにおける統合送信がセルにおいて適用されている場合、ネットワークは、（ｅＮＢ１１０間の通信によって）セルのセブセットの位置とホッピング・モードとを調整しうる。１つの設計では、ｅＮＢ１１０が、使用されているＣＳＩ−ＲＳリソースを調整する場合、ホッピングがディセーブルされうる。前述するように、２レベル・ホッピングのおのおののレベルは、他のレベルとは独立してディセーブルされうることが認識されるだろう。例えば、サブフレーム内のＣＳＩ−ＲＳ位置のホッピングから、サブフレーム・インデクスのホッピングを別々にディセーブルすることを考慮することが可能でありうる。例えば、１つの設計では、サブフレーム・インデクス・ホッピングがディセーブルされ、これによって、おのおののラジオ・フレームにおけるサブフレーム１においてのみＣＳＩ−ＲＳ送信が実行されるが、ＣＳＩ−ＲＳ位置のホッピングは、期間にわたるサブフレーム１内で可能とされるようになる。
【００６６】
ある設計では、（例えば、ホッピングがオン／オフされた場合、または、次のＣＳＩ−ＲＳパターンが利用される場合等における時間インスタンスのような）ホッピング・スケジュールに関する１または複数のパラメータが、ｅＮＢ１１０からＵＥ１２０へシグナルされうる。ホッピング・スケジューリング・パラメータは、ＵＥ１２０が、ＣＳＩ−ＲＳ送信のためのホッピング・スケジュールを識別することに役立ちうる。
【００６７】
いくつかの設計では、おのおののセルに利用可能なＣＳＩ−ＲＳ位置は、（例えば、図５に図示するような）利用可能なすべてのＣＳＩ−ＲＳ位置のサブセットに制限されうる。このサブセットは、異なるセルについて異なっており、経時的に変化しうる。さらに、ｅＮＢ１１０は、高次レイヤ（例えば、レイヤ３）において互いに、おのおののｅＮＢ１１０によって使用されるサブフレーム内のＲＥのサブセットを調整しうる。
【００６８】
調整されたマルチポイント送信（ＣｏＭＰ）構成においてＣＳＩ−ＲＳを使用する設計のようなある設計は、ＣＳＩ−ＲＳ送信の「制限」を実行しうる。例えば、セルのｅＮＢ１１０は、近隣セルにおけるＣＳＩ−ＲＳ送信に割り当てられたＲＥ２０６の位置においていずれの送信も実行しないことがありうる。この制限動作を実行することによって、ＣＳＩ−ＲＳのチャネル推定パフォーマンスを向上すること、または、所与のパフォーマンスのためのオーバヘッドを等しく低減することが可能でありうる。所与のセルのＣＳＩ−ＲＳ送信と干渉する可能性のある他の信号を制限することによって、非サービス提供セルまたは弱いサービス提供セルからのチャネル状態情報の推定が、顕著に改善されうる。トラフィック・パンクチャ（制限）のために必要とされる情報（例えば、ＲＥ位置）が、ｅＮＢ１１０間でシグナルされうる。さらに、セル内のＵＥ１２０は、データがＵＥ１２０に送信されていないことをＵＥ１２０に知らせるため、および、データ送信の、別のセルのＣＳＩ−ＲＳ送信との可能性のある干渉を回避するために、ｅＮＢ１１０によってデータ制限を通知されうる。
【００６９】
図１０は、無線通信のための処理１０００を例示する。動作１００２では、リソース要素を備える第１のリソース・パターンが選択される。第１のリソース・パターンは、例えば、図３乃至７に示されるような可能なＲＥ位置を備えうる。ある設計では、リソース要素は、一定間隔を置かれうる。第１のリソース・パターンは、第２のリソース・パターンと共存しない。第２のリソース・パターンは、例えば、ＣＲＳおよびＤＭ−ＲＳ（またはＵＥ−ＲＳ）のようなその他の基準信号に割り当てられたＲＥ位置を備えうる。動作１００４では、チャネル状態情報基準信号（ＣＳＩ−ＲＳ）を送信するために、第１のリソース・パターンが、複数のアンテナに割り当てられる。例えば、図８、９に関して説明されるように、割当が実行されうる。この処理１０００はさらに、本開示において説明されるＲＥ割当技術のうちの１または複数を含みうる。
【００７０】
図１１は、無線通信のための装置１１００を例示する。装置１１００は、リソース要素を備える第１のリソース・パターンを選択するモジュール１１０２と、ここで、第１のリソース・パターンは、第２のリソース・パターンと共存しない、チャネル状態情報基準信号（ＣＳＩ−ＲＳ）を送信するために、複数のアンテナに第１のリソース・パターンを割り当てるモジュール１１０４とを含む。ある設計では、第１のリソース・パターンは、一定間隔を置かれたリソース要素を備えうる。第１のリソース・パターンは、例えば、図３乃至７において説明されるように、可能なＲＥ位置を備えうる。第２のリソース・パターンは、例えば、ＣＲＳおよびＤＭ−ＲＳ（すなわちＵＥ−ＲＳ）のような他の基準信号に割り当てられたＲＥ位置を備えうる。例えば、図８、９に関して説明されるように、割当が実行されうる。装置１１００はさらに、本開示で説明された設計のうちの１または複数を実現するためのモジュールを含みうる。
【００７１】
図１２は、ｅＮＢにおいて実施される、リソースを基準信号の送信に割り当てる無線通信の処理１２０２を例示する。動作１２０４では、基準信号の送信に割り当てられたリソース・パターンが、近隣セルの基地局と調整される。この調整は、例えば、上述した制限動作またはホッピング動作を含みうる。動作１２０６では、近隣セルに割り当てられたリソース・パターンに対応する位置におけるリソース・パターンが、この調整に基づいて制限される。この処理１２００はさらに、本開示で説明されたような技術のうちの１または複数を含みうる。
【００７２】
図１３は、無線通信のための基地局装置１３００を例示する。装置１３００は、近隣セルの基地局と、基準信号の送信に割り当てられたリソース・パターンを調整するモジュール１３０２と、この調整に基づいて、近隣セル内に割り当てられたリソース・パターンに対応する位置におけるリソース・パターンを制限するモジュール１３０４とを含む。この調整は、例えば、上述した制限動作またはホッピング動作を含みうる。装置１３００はさらに、本開示で説明された設計のうちの１または複数を実施するためのモジュールを含みうる。
【００７３】
図１４は、ＵＥにおいて実施される、無線通信の処理１４００を例示する。動作１４０２では、第２のリソース・パターンと共存しないリソース要素を備える第１のリソース・パターンが受信される。第１のリソース・パターンは、例えば、一定間隔を取られたリソース要素を含みうる。動作１４０４では、第１のリソース・パターンにしたがって、チャネル状態情報基準信号（ＣＳＩ−ＲＳ）が受信される。動作１４０６では、チャネル状態情報基準信号に基づいてチャネル品質推定が実行される。処理１４００はさらに、本開示で説明された技術のうちの１または複数を含みうる。
【００７４】
図１５は、無線通信のためのユーザ機器装置１５００を例示する。この装置１５００は、第２のリソース・パターンと共存しないリソース要素グループを備える第１のリソース・パターンを受信するモジュール１５０２と、第１のリソース・パターンにしたがって、チャネル状態情報基準信号（ＣＳＩ−ＲＳ）を受信するモジュール１５０４と、チャネル状態情報基準信号に基づいてチャネル品質推定を実行するモジュール１５０６とを備える。装置１５００はさらに、本開示で説明された設計のうちの１または複数を実行するためのモジュールを含みうる。
【００７５】
図１６は、図１におけるｅＮＢのうちの１つ、およびＵＥのうちの１つでありうる、典型的な基地局／ｅＮＢ１１０とＵＥ１２０との設計のブロック図を示す。ここでは、上述されたさまざまな処理が、適切に実施されうる。ＵＥ１２０は、Ｔ個のアンテナ１２３４ａ乃至１２３４ｔを備え、基地局１１０は、Ｒ個のアンテナ１２５２ａ乃至１２５２ｒを備えうる。ここで、一般に、Ｔ≧１およびＲ≧１である。
【００７６】
ＵＥ１２０では、送信プロセッサ１２２０が、データ・ソース１２１２からデータを、コントローラ／プロセッサ１２４０から制御情報を受信し、これらを処理しうる。送信プロセッサ１２２０は、データおよび制御情報を処理（例えば、符号化、インタリーブ、およびシンボル・マップ）し、データ・シンボルおよび制御シンボルをそれぞれ提供しうる。送信プロセッサ１２２０はまた、ＵＥ１２０に割り当てられた１または複数のＲＳシーケンスに基づいて、複数の不連続クラスタのための１または複数の復調基準信号を生成し、基準シンボルを提供しうる。送信（ＴＸ）複数入力複数出力（ＭＩＭＯ）プロセッサ１２３０は、適用可能であれば、送信プロセッサ１２２０からの基準シンボル、制御シンボル、および／または、データ・シンボルに空間処理（例えば、プリコーディング）を実行し、Ｔ個の出力シンボル・ストリームをＴ個の変調器（ＭＯＤ）１２３２ａ乃至１２３２ｔに提供しうる。おのおのの変調器１２３２は、（例えば、ＳＣ−ＦＤＭＡ、ＯＦＤＭ等のために）それぞれの出力シンボル・ストリームを処理して、出力サンプル・ストリームを得る。おのおのの変調器１２３２はさらに、出力サンプル・ストリームを処理（例えば、アナログ変換、増幅、フィルタ、およびアップコンバート）し、アップリンク信号を取得する。変調器１２３２ａ乃至１２３２ｔからのＴ個のアップリンク信号は、Ｔ個のアンテナ１２３４ａ乃至１２３４ｔによってそれぞれ送信されうる。
【００７７】
基地局１１０では、アンテナ１２５２ａ乃至１２５２ｒは、ＵＥ１２０からアップリンク信号を受信し、受信された信号を、復調器（ＤＥＭＯＤ）１２５４ａ乃至１２５４ｒへそれぞれ提供しうる。おのおのの復調器１２５４は、受信されたそれぞれの信号を調整（例えば、フィルタ、増幅、ダウンコンバート、およびデジタル化）して、受信されたサンプルを取得しうる。おのおのの復調器１２４３はさらに、これら受信されたサンプルを処理して、受信シンボルを取得しうる。チャネル・プロセッサ／ＭＩＭＯ検出器１２５６は、Ｒ個の復調器１２５４ａ乃至１２５４ｒのすべてから、受信シンボルを取得しうる。チャンネル・プロセッサ１２５６は、ＵＥ１２０から受信した復調基準信号に基づいて、ＵＥ１２０から基地局１１０への無線チャネルのためのチャネル推定値を導出しうる。ＭＩＭＯ検出器１２５６は、これら受信シンボルに対してＭＩＭＯ検出／復調を実行し、検出されたシンボルを提供しうる。受信プロセッサ１２５８は、検出されたシンボルを処理（例えば、シンボル・デマップ、デインタリーブ、および復号）し、復号されたデータをデータ・シンク１２６０に提供し、復号された制御情報をコントローラ／プロセッサ１２８０へ提供しうる。
【００７８】
ダウンリンクでは、基地局１１０において、データ・ソース１２６２からのデータと、コントローラ／プロセッサ１２８０からの制御情報とが、送信プロセッサ１２６４によって処理され、適用可能であればＴＸ  ＭＩＭＯプロセッサ１２６６によってプリコードされ、変調器１２５４ａ乃至１２５４ｒによって調整され、ＵＥ１２０へ送信されうる。ＵＥ１２０では、基地局１１０からのダウンリンク信号が、アンテナ１２３４によって受信され、復調器１２３２によって調整され、チャネル推定器／ＭＩＭＯ検出器１２３６によって処理され、さらに、受信プロセッサ１２３８によって処理されて、ＵＥ１２０へ送信されたデータおよび制御情報が取得される。プロセッサ１２３８は、復号されたデータをデータ・シンク１２３９に提供し、復号された制御情報をコントローラ／プロセッサ１２４０へ提供しうる。
【００７９】
コントローラ／プロセッサ１２４０、１２８０は、ＵＥ１２０および基地局１１０それぞれにおける動作を指示しうる。ＵＥ１２０におけるプロセッサ１２２０、プロセッサ１２４０、および／または、その他のプロセッサおよびモジュールもまた、図１４における処理１４００、および／または、本明細書に記載された技術のためのその他の処理の実行または指示を行いうる。基地局１１０におけるプロセッサ１２５６、プロセッサ１２８０、および／またはその他のプロセッサおよびモジュールは、図１２の処理１２０２、および／または、本明細書に記載された技術のためのその他の処理の実行または指示を行いうる。メモリ１２４２、１２８２は、ＵＥ１２０および基地局１１０それぞれのためのデータおよびプログラム・コードを格納しうる。スケジューラ１２８４は、ダウンリンク送信および／またはアップリンク送信のためにＵＥをスケジュールしうる。そして、スケジュールされたＵＥのために、リソースの割当（例えば、複数の不連続クラスタの割当、復調基準信号のためのＲＳシーケンス等）を提供しうる。
【００８０】
ＣＳＩ−ＲＳ送信のいくつかの特性が、本明細書で開示されることが認識されるだろう。ある設計では、ＣＳＩ−ＲＳパターン（すなわち、ＣＳＩ−ＲＳ信号の送信に割り当てられた、サブフレーム内のパターンまたはＲＥ）は、セル特有でありうる。ＣＳＩ−ＲＳ送信のパターンは、アンテナ・ポート数、特定のセルの物理セルＩＤ等に依存しうる。ある設計では、ＣＳＩ−ＲＳに関連付けられた送信オーバヘッドは、送信の適切なデューティ・サイクルを選択することによって制御されうる。ある設計では、ＣＳＩ−ＲＳに関連付けられた送信オーバヘッドは、ＲＢ毎にＣＳＩ−ＲＳ送信に割り当てられたＲＥの数を制限することによって制御されうる。
【００８１】
レガシー機器におけるＣＳＩ−ＲＳ送信のインパクトを制限するいくつかの技術が開示されていることがさらに認識されるだろう。例えば、ある設計では、異なるセルにわたるＣＳＩ−ＲＳ送信が、少ない数のサブフレームに制限されうる。これによって、ＵＥ１２０のウェイク・アップ時間、および、レガシーＵＥ１２０へのデータ・トラフィックのパンクチャにおけるインパクトが低減される。ある設計では、ＣＳＩ−ＲＳは、ページングまたはＰＢＣＨまたは同期信号を送信するラジオ・フレームのサブフレームで送信されない。
【００８２】
開示された設計は、ＣＳＩ−ＲＳフレームワークの効率的な実装を可能にすることがさらに認識されるだろう。例えば、いくつかの設計では、ＣＳＩ−ＲＳポートの数が静的に設定される。いくつかの設計では、ＣＳＩ−ＲＳのデューティ・サイクルは、例えば｛２、５、１０｝ｍｓのような限定された値のセットから、準静的に設定されうる。
【００８３】
ＣＳＩ−ＲＳの直交送信を可能にする技術が開示されることがさらに認識されるだろう。いくつかの設計では、セルのアンテナ・ポートのＣＳＩ−ＲＳは、固定数（例えば、６）のサブキャリアの周波数間隔を持つ１つのＯＦＤＭシンボルにおいて、周波数において一定間隔で配置されうる。
【００８４】
ある設計では、異なるセルの異なるアンテナ・ポートのＣＳＩ−ＲＳパターンが、時間においてホップしうる。このホッピングは、物理セルＩＤ、アンテナ・ポート・インデクス、およびシステム時間に応じうる。
【００８５】
ある設計では、データ／制御信号送信が、近隣のセルのＣＳＩ−ＲＳ送信によって使用される位置において制限されうる。いくつかの設計では、この制限は、複数のｅＮＢ１１０間の調整に基づいて実行されうる。
【００８６】
本明細書に開示されたＣＳＩ−ＲＳ設計は、例えば、単一セルのシングル・ユーザおよびＭＵ−ＭＩＭＯおよび調整されたマルチ・セル送信のような任意の送信モードと共に使用されうることが認識されるだろう。
【００８７】
本明細書に記載されたＣＳＩ−ＲＳ設計は、本明細書で開示された他の態様の中でも、以下の態様のうちの１または複数を含むように具体化されうることが認識されるだろう。  （１）セルのＣＳＩ−ＲＳは、このセルのＣＲＳ  ＲＥを回避しうる。  （２）ＣＳＩ−ＲＳは、近隣セル（単数または複数）のＣＲＳとの衝突を回避するためにＣＲＳシンボルを完全に回避しうる。  （３）ＣＳＩ−ＲＳは、ＵＥ特有のＲＳ（ＵＥ−ＲＳ）ＲＥを回避しうる。ＵＥ特有のＲＳ  ＲＥは、ＵＥ−ＲＳのために使用されうる任意のＲＥを称し、ＵＥ−ＲＳのために常に使用される訳ではないことが注目されるべきである。  （４）ＣＳＩ−ＲＳは、１つのＬＴＥリリースのＵＥ−ＲＳを回避しうるが、別のＬＴＥリリースのＵＥ−ＲＳを回避しない。例えば、ある設計は、Ｒｅｌ−９／１０  ＵＥ−ＲＳを回避しうるが、Ｒｅｌ−８  ＵＥ−ＲＳを回避しない。  （５）ＣＳＩ−ＲＳパターンは、任意のセルのＵＥ−ＲＳ  ＲＥを回避できるように選択されうる。  （６）セルのためのＣＳＩ−ＲＳパターンは、このセルのＵＥ−ＲＳ  ＲＥのみを回避できるように選択されうる。Ｒｅｌ−８  ＵＥ−ＲＳパターンは、別のセルＩＤについて異なっているので、利用可能なＣＳＩ−ＲＳパターンの数と、このシグナリングとに悪影響を与えうる。  （７）ＣＳＩ−ＲＳパターンは、セルＩＤ、ＣＳＩ−ＲＳアンテナ・ポート数、および、ＣＳＩ−ＲＳが送信されるサブフレームのタイプに応じて選択されうる。  （８）ＣＳＩ−ＲＳパターンは、同期信号、ＰＢＣＨ、またはページングを含むサブフレームおよび／またはシンボルを回避するように選択されうる。  （９）同じセルの異なるアンテナ・ポートのＣＳＩ−ＲＳが、直交多重化されうる。  （１０）異なるセルのＣＳＩ−ＲＳは、互いに直交多重化されうる。  （１１）近隣セルのＣＳＩ−ＲＳは、衝突／干渉を回避するように制限されうる。  （１２）制限は、制限された送信リソースにおける送信を回避するようにＵＥへシグナルされうる。  （１３）ＣＳＩ−ＲＳパターンは、サブフレームにわたってホップされうる。  （１４）ホッピング・パターンは、セルＩＤ、サブフレーム・インデクス、および／または、その他のシステム・パラメータに応じうる。  （１５）ホッピングは、選択的に使用され、ホッピングのイネーブルまたはディセーブルが、ユーザ機器にシグナルされうる。
【００８８】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００８９】
当業者であればさらに、本明細書の開示に関連して記載されたさまざまな例示的な論理ブロック、モジュール、回路、および処理ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００９０】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００９１】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭ（登録商標）メモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００９２】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、そのようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。本明細書で使用されるディスク（ｄｉｓｋおよびｄｉｓｃ）は、コンパクト・ディスク（ＣＤ）、レーザ・ディスク、光ディスク、デジタル多用途ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００９３】
本開示の上記記載は、当業者をして、本開示の製造または利用を可能とするように提供される。この開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【００９４】
前述された典型的なシステムを考慮して、開示された主題にしたがって実現される方法が、さまざまなフロー図を参照して記述された。説明を単純にする目的のために、これら方法は、一連のブロックとして図示および説明されているが、権利主張される主題は、これらブロックの順序によって限定されず、いくつかのブロックは、本明細書に図示および記載されたものと別の順序で、および／または、他のブロックと同時に生じうることが理解および認識されるべきである。さらに、本明細書に記載された方法を実施するために、必ずしも例示されたすべてのブロックが必要とされる訳ではない。それに加えて、本明細書で開示される方法は、これら方法をコンピュータへ伝送および転送することを容易にするために、製造物品に格納されることが可能であることが認識されるべきである。本明細書で使用される用語である製造物品は、任意のコンピュータ読取可能デバイス、キャリア、または媒体からアクセスすることが可能なコンピュータ・プログラムを含むことが意図される。
【００９５】
本明細書において参照によって組み込まれるべきであると言われるいずれの特許、出版物、またはその他の開示資料の全体または一部は、本明細書において、組み込まれた資料が、既存の定義、命令、または、本開示で述べられたその他の開示資料とコンフリクトしない程度に組み込まれていることが認識されるべきである。それゆえ、必要な程度まで、本明細書に明確に記載された開示は、参照によって本明細書に組み込まれたコンフリクトするあらゆる資料の代わりになる。本明細書において参照によって組み込まれると言われているものの既存の定義、記述、または、本明細書に記載されたその他の開示資料とコンフリクトする何れの資料またはその一部は、組み込まれた資料と既存の開示資料との間でのコンフリクトを引き起こさないという程度まで組み込まれるだろう。
【図１】
2019146187.tif 000003
【図２】
2019146187.tif 000004
【図３】
2019146187.tif 000005
【図４】
2019146187.tif 000006
【図５】
2019146187.tif 000007
【図６】
2019146187.tif 000008
【図７】
2019146187.tif 000009
【図８】
2019146187.tif 000010
【図９】
2019146187.tif 000011
【図１０】
2019146187.tif 000012
【図１１】
2019146187.tif 000013
【図１２】
2019146187.tif 000014
【図１３】
2019146187.tif 000015
【図１４】
2019146187.tif 000016
【図１５】
2019146187.tif 000017
【図１６】
2019146187.tif 000018
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
無線通信のための方法であって、
同期信号、ページング信号、および／またはブロードキャスト信号を含むサブフレームと衝突しない第１のリソース・パターンのためのサブフレームを選択することと、
チャネル状態情報基準信号（ＣＳＩ−ＲＳ）を送信するために、複数のアンテナに前記第１のリソース・パターンを割り当てることと、
を備え、
前記第１のリソース・パターンを選択的にホップすること、ここにおいて、前記ホッピング・パターンは、前記システム時間、前記アンテナ・ポート・インデクス、および前記物理セルＩＤに応じて選択される、
によって特徴付けられる、方法。
【請求項２】
前記第１のリソース・パターンは、１または複数のセルにおいて、ユーザ機器基準信号、共通の基準信号、および制御信号のうちの１または複数に割り当てられた送信リソースを備える第２のリソース・パターンのリソースに割り当てられないリソース要素を備える、請求項１に記載の方法。
【請求項３】
前記複数のアンテナからのＣＳＩ−ＲＳ送信を、予め定めた数のサブフレームに制限することをさらに備える、請求項１に記載の方法。
【請求項４】
前記第１のリソース・パターンは、別のセルにおいて割り当てられた送信リソース・パターンを備える第２のリソース・パターンのリソースに割り当てられないリソース要素を備える、請求項１に記載の方法。
【請求項５】
前記第１のリソース・パターンを前記割り当てることは、
前記第１のリソース・パターンを、リソース要素からなる複数のグループにグループ化することと、
リソース要素からなるグループを、前記複数のアンテナのうちのアンテナに割り当てることと、
を備える請求項１に記載の方法。
【請求項６】
前記割り当てることは、一定間隔を取られたリソース要素のうちの予め定めた数のリソース要素を、前記複数のアンテナのうちのおのおののアンテナへ割り当てることを備える、請求項１に記載の方法。
【請求項７】
前記第１のリソース・パターンは、別のセルにおいて、共通の基準信号に割り当てられた送信リソースを備える第２のリソース・パターンのリソースに割り当てられないリソース要素を備える、請求項１に記載の方法。
【請求項８】
前記第１のリソース・パターンは、セル識別情報、前記複数のアンテナの数、前記ＣＳＩ−ＲＳの送信のためのサブフレーム・インデクスのうちの１または複数に基づいて選択される、請求項１に記載の方法。
【請求項９】
無線通信のための装置であって、
同期信号、ページング信号、および／またはブロードキャスト信号を含むサブフレームと衝突しない第１のリソース・パターンのためのサブフレームを選択する手段と、
チャネル状態情報基準信号（ＣＳＩ−ＲＳ）を送信するために、複数のアンテナに前記第１のリソース・パターンを割り当てる手段と、
を備え、
前記第１のリソース・パターンを選択的にホップするための手段、ここにおいて前記ホッピング・パターンは、前記システム時間、前記アンテナ・ポート・インデクス、および前記物理セルＩＤに応じて選択される、
によって特徴付けられる、装置。
【請求項１０】
無線通信のための方法であって、
同期信号、ページング信号、および／またはブロードキャスト信号を含むサブフレームと衝突しない第１のリソース・パターンを備えるサブフレームを受信することと、
前記第１のリソース・パターンにしたがって、チャネル状態情報基準信号（ＣＳＩ−ＲＳ）を受信することと、
前記ＣＳＩ−ＲＳに基づいてチャネル品質推定を実行することと、
を備え、
前記第１のリソース・パターンが、選択的にホップされ、ここにおいて、前記ホッピング・パターンは、前記システム時間、前記アンテナ・ポート・インデクス、および前記物理セルＩＤに応じて選択される、
ことを特徴とする、方法。
【請求項１１】
前記サブフレームは、ユーザ機器基準信号および／または共通の基準信号に割り当てられたリソースを備える第２のリソース・パターンをさらに備え、前記第１のリソース・パターンは、前記第２のリソース・パターンの前記リソースに割り当てられないリソース要素を有する、請求項１０に記載の方法。
【請求項１２】
前記チャネル品質推定を基地局へレポートすることをさらに備える、請求項１０に記載の方法。
【請求項１３】
無線通信のための装置であって、
同期信号、ページング信号、および／またはブロードキャスト信号を含むサブフレームと衝突しない第１のリソース・パターンを備えるサブフレームを受信する手段と、
前記第１のリソース・パターンにしたがって、チャネル状態情報基準信号（ＣＳＩ−ＲＳ）を受信する手段と、
前記ＣＳＩ−ＲＳに基づいてチャネル品質推定を実行する手段と、
を備え、
前記第１のリソース・パターンは、選択的にホップされ、ここにおいて、前記ホッピング・パターンは、前記システム時間、前記アンテナ・ポート・インデクス、および前記物理セルＩＤに応じて選択される、
ことを特徴とする、装置。
【請求項１４】
コンピュータ・プログラム製品であって、
少なくとも１つのコンピュータに、請求項１乃至８および請求項１０乃至１２のいずれかの方法を行わせるための命令を備えるコンピュータ読取可能な媒体を備える、コンピュータ・プログラム製品。
【手続補正２】
【補正対象書類名】明細書
【補正対象項目名】００９５
【補正方法】変更
【補正の内容】
【００９５】
本明細書において参照によって組み込まれるべきであると言われるいずれの特許、出版物、またはその他の開示資料の全体または一部は、本明細書において、組み込まれた資料が、既存の定義、命令、または、本開示で述べられたその他の開示資料とコンフリクトしない程度に組み込まれていることが認識されるべきである。それゆえ、必要な程度まで、本明細書に明確に記載された開示は、参照によって本明細書に組み込まれたコンフリクトするあらゆる資料の代わりになる。本明細書において参照によって組み込まれると言われているものの既存の定義、記述、または、本明細書に記載されたその他の開示資料とコンフリクトする何れの資料またはその一部は、組み込まれた資料と既存の開示資料との間でのコンフリクトを引き起こさないという程度まで組み込まれるだろう。
以下に本願の出願当初の特許請求の範囲に記載された発明を付記する。
［Ｃ１］
無線通信のための方法であって、
リソース要素を備える第１のリソース・パターンを選択することと、ここで、前記第１のリソース・パターンは、第２のリソース・パターンと共存しない、
チャネル状態情報基準信号（ＣＳＩ−ＲＳ）を送信するために、複数のアンテナに前記第１のリソース・パターンを割り当てることと、を備える方法。
［Ｃ２］
前記第２のリソース・パターンは、１または複数のセルにおいて、ユーザ機器基準信号、共通の基準信号、および制御信号のうちの１または複数に割り当てられた送信リソースを備える、Ｃ１に記載の方法。
［Ｃ３］
前記第２のリソース・パターンは、同期信号、ページング信号、およびブロードキャスト信号のうちの１または複数に割り当てられた送信リソースを備える、Ｃ１に記載の方法。
［Ｃ４］
前記複数のアンテナからのＣＳＩ−ＲＳ送信を、予め定めた数のサブフレームに制限することを備える、Ｃ１に記載の方法。
［Ｃ５］
前記制限することはさらに、少なくとも１つの他のセルとのＣＳＩ−ＲＳ送信が、前記予め定めた数のサブフレームに制限されるように、前記少なくとも１つの他のセルと調整することをさらに備える、Ｃ４に記載の方法。
［Ｃ６］
前記第１のリソース・パターンを選択的にホップすることをさらに備える、Ｃ１に記載の方法。
［Ｃ７］
前記第１のリソース・パターンを選択的にホップすることは、サブフレーム・タイプおよびセル識別情報のうちの１または複数に応じて前記第１のリソース・パターンを選択的にホップすることを備える、Ｃ６に記載の方法。
［Ｃ８］
前記選択的にホップすることをイネーブルまたはディセーブルすることをさらに備える、Ｃ７に記載の方法。
［Ｃ９］
前記選択的にホップすることをイネーブルまたはディセーブルすることをユーザ機器にシグナルすることをさらに備える、Ｃ８に記載の方法。
［Ｃ１０］
ホッピング・スケジュール・パラメータをユーザ機器へシグナルすることをさらに備える、Ｃ６に記載の方法。
［Ｃ１１］
前記第２のリソース・パターンは、別のセルにおいて割り当てられた送信リソース・パターンを備える、Ｃ１に記載の方法。
［Ｃ１２］
前記第１のリソース・パターンを割り当てることは、
前記第１のリソース・パターンを、リソース要素からなる複数のグループにグループ化することと、
リソース要素からなるグループを、前記複数のアンテナのうちのアンテナに割り当てることと、を備えるＣ１に記載の方法。
［Ｃ１３］
前記複数のアンテナからのＣＳＩ−ＲＳ送信は、時間領域、周波数領域、および符号領域のうちの１または複数において互いに直交する、Ｃ１２に記載の方法。
［Ｃ１４］
前記グループ化することは、２つのリソース要素をグループにグループ化することを備える、Ｃ１２に記載の方法。
［Ｃ１５］
前記割り当てることは、一定間隔を取られた予め定めた数のリソース要素を、前記複数のアンテナのうちのおのおののアンテナへ割り当てることをさらに備える、Ｃ１に記載の方法。
［Ｃ１６］
前記第２のリソース・パターンは、別のセルにおいて、共通の基準信号に割り当てられた送信リソースを備える、Ｃ１に記載の方法。
［Ｃ１７］
前記第１のリソース・パターンを選択することは、セル識別情報、前記複数のアンテナの数、前記ＣＳＩ−ＲＳの送信のためのサブフレーム・インデクスのうちの１または複数に基づく、Ｃ１に記載の方法。
［Ｃ１８］
無線通信のための装置であって、
リソース要素を備える第１のリソース・パターンを選択する手段と、ここで、前記第１のリソース・パターンは、第２のリソース・パターンと共存しない、
チャネル状態情報基準信号（ＣＳＩ−ＲＳ）を送信するために、複数のアンテナに前記第１のリソース・パターンを割り当てる手段と、を備える装置。
［Ｃ１９］
前記複数のアンテナからのＣＳＩ−ＲＳ送信を、予め定めた数のサブフレームに制限する手段をさらに備える、Ｃ１８に記載の装置。
［Ｃ２０］
前記第１のリソース・パターンを選択的にホップする手段をさらに備える、Ｃ１８に記載の装置。
［Ｃ２１］
無線通信のための装置であって、
リソース要素を備える第１のリソース・パターンを選択し、ここで、前記第１のリソース・パターンは、第２のリソース・パターンと共存しない、
チャネル状態情報基準信号（ＣＳＩ−ＲＳ）を送信するために、複数のアンテナに前記第１のリソース・パターンを割り当てる、ように構成されたプロセッサを備える、装置。
［Ｃ２２］
前記プロセッサはさらに、一定間隔を取られた予め定めた数のリソース要素を、前記複数のアンテナのうちのおのおののアンテナへ割り当てるように構成された、Ｃ２１に記載の装置。
［Ｃ２３］
コンピュータ・プログラム製品であって、
少なくとも１つのコンピュータに対して、リソース要素を備える第１のリソース・パターンを選択させるための命令群と、ここで、前記第１のリソース・パターンは、第２のリソース・パターンと共存しない、
前記少なくとも１つのコンピュータに対して、チャネル状態情報基準信号（ＣＳＩ−ＲＳ）を送信するために、複数のアンテナに第１のリソース・パターンを割り当てさせるための命令群と、を備えるコンピュータ読取可能な媒体を備える、コンピュータ・プログラム製品。
［Ｃ２４］
前記少なくとも１つのコンピュータに対して割り当てさせるための命令群はさらに、前記少なくとも１つのコンピュータに対して、前記第１のリソース・パターンを、リソース要素からなる複数のグループにグループ化させ、リソース要素からなるグループを、前記複数のアンテナのうちのアンテナに割り当てさせる、ための命令群を備える、Ｃ２３に記載のコンピュータ・プログラム製品。
［Ｃ２５］
前記コンピュータ読取可能な媒体はさらに、前記少なくとも１つのコンピュータに対して、前記複数のアンテナからのＣＳＩ−ＲＳ送信を、予め定めた数のサブフレームに制限させるための命令群を備える、Ｃ２３に記載のコンピュータ・プログラム製品。
［Ｃ２６］
無線通信のための方法であって、
近隣セルにおける基地局と、基準信号の送信のために割り当てられたリソース・パターンを調整することと、
前記調整に基づいて、前記近隣セル内に割り当てられたリソース・パターンに対応する位置におけるリソース・パターンを制限することと、を備える方法。
［Ｃ２７］
前記近隣セル内に割り当てられた対応するリソース・パターンに対して前記リソース・パターンを直交させることをさらに備える、Ｃ２６に記載の方法。
［Ｃ２８］
前記制限することに関連する情報を、ユーザ機器にシグナルすることをさらに備える、Ｃ２６に記載の方法。
［Ｃ２９］
前記調整することは、チャネル状態情報基準信号の送信のために割り当てられたリソース・パターンを調整することを備える、Ｃ２６に記載の方法。
［Ｃ３０］
無線通信のための装置であって、
近隣セルの基地局と、基準信号の送信のために割り当てられたリソース・パターンを調整する手段と、
前記調整に基づいて、前記近隣セル内に割り当てられたリソース・パターンに対応する位置におけるリソース・パターンを制限する手段と、を備える装置。
［Ｃ３１］
無線通信のための方法であって、
第２のリソース・パターンと共存しないリソース要素を備える第１のリソース・パターンを受信することと、
前記第１のリソース・パターンにしたがって、チャネル状態情報基準信号（ＣＳＩ−ＲＳ）を受信することと、
前記ＣＳＩ−ＲＳに基づいてチャネル品質推定を実行することと、を備える方法。
［Ｃ３２］
前記第２のリソース・パターンにしたがって、ユーザ機器基準信号と共通の基準信号とのうちの１つを受信することをさらに備える、Ｃ３１に記載の方法。
［Ｃ３３］
前記チャネル品質推定を基地局へレポートすることをさらに備える、Ｃ３１に記載の方法。
［Ｃ３４］
無線通信のための装置であって、
第２のリソース・パターンと共存しないリソース要素を備える第１のリソース・パターンを受信する手段と、
前記第１のリソース・パターンにしたがって、チャネル状態情報基準信号（ＣＳＩ−ＲＳ）を受信する手段と、
前記ＣＳＩ−ＲＳに基づいてチャネル品質推定を実行する手段と、を備える装置。
［Ｃ３５］
前記第２のリソース・パターンにしたがって、ユーザ機器基準信号と共通の基準信号とのうちの１つを受信する手段をさらに備える、Ｃ３４に記載の装置。
［Ｃ３６］
コンピュータ・プログラム製品であって、
少なくとも１つのコンピュータに対して、第２のリソース・パターンと共存しないリソース要素グループを備える第１のリソース・パターンを受信させるための命令群と、
前記少なくとも１つのコンピュータに対して、前記第１のリソース・パターンにしたがって、チャネル状態情報基準信号（ＣＳＩ−ＲＳ）を受信させるための命令群と、
前記少なくとも１つのコンピュータに対して、前記ＣＳＩ−ＲＳに基づいてチャネル品質推定を実行させるための命令群と、を備えるコンピュータ読取可能な媒体を備える、コンピュータ・プログラム製品。
［Ｃ３７］
無線通信のための装置であって、
第２のリソース・パターンと共存しないリソース要素グループを備える第１のリソース・パターンを受信し、
前記第１のリソース・パターンにしたがって、チャネル品質推定基準信号（ＣＳＩ−ＲＳ）を受信し、
前記チャネル状態情報基準信号に基づいてチャネル品質推定を実行するように構成されたプロセッサを備える、装置。
［Ｃ３８］
前記プロセッサはさらに、前記第２のリソース・パターンにしたがって、ユーザ機器基準信号と共通の基準信号とのうちの１つを受信するように構成された、Ｃ３７に記載の装置。
【外国語明細書】
2019146187000001.pdf